(57)【要約】【課題】ビーズアクセサリーを製作する際の作業性を向上させ、美しい形状のアクセサリーを容易に製作することが可能で、かつ、作業中における材料の損傷を確実に防止することが可能な治具を提供する。【解決手段】基端から先端にかけてテーパーがついた丸棒形状の木製の本体２に、本体２の基端から先端に向かう方向に延びる溝２１を形成した治具１である。ワイヤーリングを製作する際、治具１を芯としてワイヤーを巻き付ければ、手元が安定して作業性が格段に向上する。また、ワイヤーの端部を螺旋状に巻いて処理する作業では、溝２１を利用して、製作中のワイヤーリングを治具１に巻き付けたまま作業を行うことができるので、作業中に形が乱れることがなく、美しい形状のワイヤーリングを製作できる。さらに、本体２は木製であるから、ビーズに傷が付く恐れがないので、安心して作業することができる。【選択図】　図１
2004089348.tif 000002
【特許請求の範囲】
【請求項１】
基端から先端にかけてテーパーがついた丸棒形状の本体を有し、前記本体の側面に、前記本体の基端から先端に向かう方向に延びる溝が形成されたことを特徴とするアクセサリー製作用治具。
【請求項２】
前記本体が木製であることを特徴とする請求項１記載のアクセサリー製作用治具。
【請求項３】
前記溝は側面および底面を有し、その断面が略矩形形状となっていることを特徴とする請求項１または２に記載のアクセサリー製作用治具。
【請求項４】
前記溝が、前記本体の先端から基端に達する直線状に形成されたことを特徴とする請求項１から３のいずれかに記載のアクセサリー製作用治具。
【請求項５】
前記本体の長手方向に沿って、各位置における前記本体の径または外周のサイズを示す目盛が付されたことを特徴とする請求項１から４のいずれかに記載のアクセサリー製作用治具。
【発明の詳細な説明】
【０００１】
【発明の属する技術分野】
本発明は、アクセサリー製作用治具に関し、詳細には、ワイヤーを輪状に成形して指輪等を製作する際に用いるアクセサリー製作用治具に関する。
【０００２】
【従来の技術】
近年、ビーズアクセサリーが大きな注目を集めている。その種類は指輪、ネックレス、ブレスレット、ピアス、イヤリング、ブローチ等、多岐に渡っており、デザインも多種多様である。
現在、ビーズアクセサリーの完成品が数多く市販されているが、その一方で、ビーズアクセサリーの製作を趣味として嗜む人が年々増加している。このため、多くの材料が市販されるようになった。市販されているビーズには、貴金属を含む金属、貴石、クリスタルガラス等のガラス、木材、合成樹脂を加工ないし形成したものなどがあり、形状、色、質感とも多種多様である。また、ビーズを連結するために用いるワイヤーには、貴金属、ステンレス、銅、真鍮等の金属線や金属線にナイロンコートを施したもの、ロジウムメッキを施したものなどがあり、バリエーションに富んでいる。また、ビーズを連結する材料として、合成樹脂製のテグス、或いは天然皮革や合成皮革製のコードが用いられることもある。また、上記材料とともに、製作に用いるプライヤー等の工具や、製作方法を解説した書籍も多く市販され、活況を呈している。
【０００３】
ここで、ビーズアクセサリーを製作する方法について例を挙げて説明する。図６は、ビーズアクセサリーの一例としてワイヤーリングを示す図である。ワイヤーリング４は、ビーズ４１を１本のワイヤー４２に通し、ワイヤー４２を指輪の形状に成形したものである。ビーズ４１としてはパール、貴石、貴金属のビーズがよく用いられ、ワイヤー４２としては銀線等が用いられる。
ワイヤーリング４は、ワイヤー４２を所望の指輪サイズに合わせて複数回巻いた土台部４３と、ワイヤー４２の端部を土台部４３の周囲に螺旋状に巻き回したコイル部４４とで構成される。土台部４３は指輪の土台となる部分であり、コイル部４４は、土台部４３を構成する輪の束がばらけないように、これらの輪を束ねるとともに、ワイヤー４２の端部を安全かつ美しく仕上げるためのものである。
【０００４】
従来、ワイヤーリング４の製作において、図７に示すリングゲージ棒（サイズ棒）５を便宜的に用いることがあった。リングゲージ棒５は、指輪のサイズ測定に用いられる金属製の棒であり、テーパーがついた先細りの形状を有し、その側面を周回するように、指輪のサイズを示す複数の目盛５１が刻まれている。
【０００５】
リングゲージ棒５を用いてワイヤーリング４を製作するには、まず、ビーズ４１をワイヤー４２に通してから（図８（ａ））、ワイヤー４２をリングゲージ棒５に巻き付ける（図８（ｂ）、図９（ａ））。ここで、ワイヤー４２を巻き付ける位置は、作りたいワイヤーリング４のサイズに応じて、目盛５１を目安として決める。続いて、ワイヤー４２の両端をリングゲージ棒５の前側に回り込ませ、さらにリングゲージ棒５に巻き付ける（図９（ｂ））。そして、リングゲージ棒５の後側でワイヤー４２の両端を交差させると（図９（ｃ））、指輪のサイズに応じた複数の輪ができる。これらの輪によって土台部４３が形成される。
【０００６】
ここで、製作中のワイヤーリング４をリングゲージ棒５から取り外し、ワイヤー４２の端部を、土台部４３の輪を束ねるようにこれらの周囲に巻き回してコイル部４４を作る（図９（ｄ））。その後、ワイヤー４２の先端をコイル部４４の隙間に入れ込んで切り口を潰せば、ワイヤーリング４が完成する。
【０００７】
このように、リングゲージ棒５を芯としてワイヤー４２を輪状に成形すると、所望のサイズの土台部４３を容易に作れる利点があった。
【０００８】
【発明が解決しようとする課題】
しかしながら、上記の方法では、製作中に、ワイヤーリング４をリングゲージ棒５から取り外さなければならない。すなわち、ワイヤーリング４をリングゲージ棒５に巻き付けたままの状態では、土台部４３とリングゲージ棒５との間に十分な隙間が無いので、ワイヤー４２の先端を差し込んで巻き回すことができなかった。このため、上記の通り、製作中のワイヤーリング４をリングゲージ棒５から外してからコイル部４４を作っていた。
【０００９】
ところが、ワイヤーリング４をリングゲージ棒５から取り外す時点では土台部４３の輪が束ねられていないため、その後のワイヤーの巻回作業において土台部４３の輪の並びが容易に乱れてしまう。また、ワイヤーリング４を保持するものが無いので、手元が不安定になる。このため、コイル部４４を作る工程でワイヤー４２を螺旋状に整列した状態に美しく巻くのは非常に困難であった。このように、ワイヤーリング４の製作には高度な技術が必要であり、熟練した製作者でなければ綺麗に仕上げることができないという問題があった。
【００１０】
さらに、リングゲージ棒５は、本来は指輪のサイズを測る測定器具であるから専ら金属製であり、ビーズ４１の材料に比べて非常に硬い。このため、ビーズ４１が目盛５１に接触した際、或いはワイヤー４２をリングゲージ棒５の周囲に巻き付ける際の外力によって、ビーズ４１に欠けや傷を生じることがあり、クリスタルガラス、パール、貴石などの高価なビーズを使う場合には、特に注意深く作業を行わなければならないという問題があった。
【００１１】
ビーズを通したワイヤーを輪状に加工することの多いビーズアクセサリーの製作において、上記の各問題は、現実に直面する問題としてその解決が待たれていた。
【００１２】
そこで、本発明の目的は、ビーズアクセサリーを製作する際の作業性を向上させ、美しい形状のアクセサリーを容易に製作することが可能な治具を提供することにある。
【００１３】
また、本発明の目的は、ビーズアクセサリーの製作において、作業中における材料の損傷を確実に防止することが可能な治具を提供することにある。
【００１４】
【課題を解決するための手段】
上記課題を解決するため、請求項１記載の発明のアクセサリー製作用治具は、基端から先端にかけてテーパーがついた丸棒形状の本体を有し、前記本体の側面に、前記本体の基端から先端に向かう方向に延びる溝が形成されたことを特徴とする。
【００１５】
請求項１記載の発明によれば、基端から先端にかけてテーパーがついた丸棒形状の本体の側面に、本体の基端から先端に向かう方向に延びる溝が形成されている。これにより、ワイヤーを輪状に成形してアクセサリーを製作する際に、ワイヤーの端部の処理を容易に行うことができる。すなわち、アクセサリー製作用治具の本体にワイヤーを巻き付けて輪を作り、この輪の周囲にワイヤーの端部を螺旋状に巻き回して該端部を処理する工程において、溝の内部にワイヤーの端部を通すことで、ワイヤーの輪を本体に巻き付けたまま、この輪の周囲にワイヤーの端部を巻き回す作業を行うことができる。このため、上記工程においてワイヤーの輪を本体から取り外す必要が無い。
【００１６】
従って、上記工程において、輪状に成形した部分の形状が保持された状態で輪の周囲にワイヤーの端部を巻き回す作業を行うことができるので、作業中にワイヤーの輪の並びが崩れることがなく、完成度の高い美しい形状のアクセサリーを製作することができる。また、本体がワイヤーを支持することによって作業中の手元が安定し、ワイヤーに所望の張力をかけながら巻回することができ、作業性が著しく向上する。このため、ワイヤーの端部を巻き回す作業を上手に行うことができ、完成度の高い、美しい形状のアクセサリーを容易に製作することができる。
【００１７】
請求項２記載の発明は、請求項１記載のアクセサリー製作用治具において、前記本体が木製であることを特徴とする。
【００１８】
ここで、本体を構成する木材としては、適度な柔らかさ、ねばり、靱性、触感を有するものが望ましく、好ましい例としては、ブナ、樺、朴、ミズキ、ナラ、ケヤキ、カエデ、エゴノキ、桜、桂などが挙げられるが、硬軟、ねばりの程度、靱性、軽重、触感、木目の模様、色、耐久性、加工容易性、入手容易性、価格などをもとに任意に決定することが可能である。また、本体を構成する木材としては、天然木の無垢板のほか、集成材や合板のように加工が施された木材、ＭＤＦ（Ｍｅｄｉｕｍ　Ｄｅｎｓｉｔｙ　Ｆｉｂｅｒｂｏａｒｄ）等の木質繊維材料、または合成木材や人工木材と呼ばれる材料を用いることも可能である。さらに、本体が木製であれば、表面塗装等の種々の加工を施しても良い。
【００１９】
請求項２記載の発明のアクセサリー製作用治具は、本体が木製であるので、ビーズやワイヤー等の材料が本体に接触しても、本体表面が緩衝部材として機能して、材料を損傷するおそれが無い。このため、作業中の材料の損傷を確実に防止することができるので、製作者は安心してワイヤーを輪あるいは螺旋状に巻き締める作業をすることができ、作業性をより一層向上させることができる。
【００２０】
請求項３記載の発明は、請求項１または２に記載のアクセサリー製作用治具において、前記溝は側面および底面を有し、その断面が略矩形形状となっていることを特徴とする。
【００２１】
請求項３記載の発明によれば、溝には側面および底面が形成され、その断面が略矩形形状となっているので、ワイヤーを輪状に成形してアクセサリーを製作する際に、ワイヤーの端部の処理を、より容易に行うことができる。すなわち、アクセサリー製作用治具の本体にワイヤーを巻き付けて輪を作り、この輪の周囲にワイヤーの端部を螺旋状に巻き回して該端部を処理する工程において、溝が略矩形形状を有することで、溝の内部でワイヤーの先端が引っかかったり、ワイヤーの移動が過度に制限されることが無い。このため、上記工程において、作業中にワイヤーを溝内でスムーズに動かすことが可能となり、作業性をより一層向上させることができる。
【００２２】
請求項４記載の発明は、請求項１から３のいずれかに記載のアクセサリー製作用治具において、前記溝が、前記本体の先端から基端に達する直線状に形成されたことを特徴とする。
【００２３】
請求項４記載の発明によれば、溝が、本体の先端から基端に達する直線状に形成されているので、テーパーがついた本体の長手方向のどの位置を使って作業を行っても良い。従って、例えば指輪を製作する際には、製作したい指輪のサイズに応じて、本体のうち適切な径を有する部分にワイヤーを巻き付けて作業を行えば良いので、幅広く様々な種類・サイズのアクセサリーの製作に利用することができる。
【００２４】
請求項５記載の発明は、請求項１から４のいずれかに記載のアクセサリー製作用治具において、前記本体の長手方向に沿って、各位置における前記本体の径または外周のサイズを示す目盛が付されたことを特徴とする。
【００２５】
ここで、目盛は、無用な凹凸を本体表面に形成するのを避けるために、溝の底部に付されることが好ましいが、本体の側面に付されても良い。また、目盛を付す方法としては、刻印や印刷、焼き印等が挙げられるが、目盛が付された真鍮板その他の金属板や樹脂板等を本体に装着する構成としても良い。この場合、そのような目盛板を、例えば溝の底部に装着する構成とすれば、目盛板が作業の邪魔になるおそれがなく、好適である。
また、例えば、本体の径または外周のサイズを指輪のサイズに即して示す目盛を、上記目盛として付しても良い。この場合、特に指輪の製作において作業性を著しく向上させることが可能である。なお、指輪のサイズに基づく目盛を付す場合、指輪の製作に用いられることを想定して、本体の一部または全部の外周長が４０ミリメートル以上７６ミリメートル以下となるようにすれば、指輪の製作に非常に好適である。
【００２６】
請求項５記載の発明によれば、本体の長手方向に沿って、各位置における本体の径または外周のサイズを示す目盛が付されているので、例えば指輪を製作する際に、本体に付された複数の目盛のうち製作する指輪のサイズに該当する目盛を目安として作業を行うことができる。このように、本体に付された目盛を、製作するアクセサリーのサイズの目安にすることができ、より一層の作業性の向上を図ることができる。
【００２７】
【発明の実施の形態】
以下、本発明の好ましい実施の形態を、図面に基づき説明する。
図１は、本発明を適用した実施の形態における治具１の外観斜視図であり、図２は、図１に示す治具１の要部を拡大して示す図である。図３は、治具１の断面図であり、（ａ）は治具１の横断面を示し、（ｂ）は同図（ａ）に示す断面の要部を拡大して示す。
図１から図３の各図において、１は治具、２は本体、２１は溝、２１１は溝２１内部の側面、２１２は溝２１内部の底面、２２は本体２の上面、２３は本体２の底面、３は目盛プレートである。
【００２８】
図１から図３の各図に示すように、治具１は、底面２３から上面２２まで一様なテーパーを有する円錐台形状の治具である。
本体２は木材を成形したものである。本体２に使用する木材は、適度な柔らかさ、ねばり、靱性、触感を有するものが望ましく、好ましい例としては、ブナ、樺、朴、ミズキ、ナラ、ケヤキ、カエデ、エゴノキ、桜、桂などが挙げられるが、使用する人の好みや、硬軟、ねばりの程度、靱性、軽重、触感、木目の模様、色、耐久性、加工容易性、入手容易性、価格などをもとに任意に決定して良い。また、本体２の材料は天然木の無垢板に限られず、集成材や合板のように加工が施された木材、ＭＤＦ等の木質繊維材料、または合成木材や人工木材と呼ばれる材料を用いることも可能である。
さらに、上記材料を本体２の形状に成形してから、表面塗装等の種々の加工を施すことも勿論可能である。
【００２９】
また、本実施の形態の治具１は、アクセサリーの中でも特に指輪の製作に際して有用な治具として、本体２のテーパー部分が種々の指輪のサイズに適した外径を有しており、具体的には、外周長が４０ミリメートル以上７６ミリメートル以下の部分を有することが望ましい。
【００３０】
本体２の側面には溝２１が形成されている。溝２１は、上面２２の端部と底面２３の端部とを結ぶ最短の線に沿って形成された溝であり、上面２２から底面２３に達している。
図３（ａ）および（ｂ）に示すように、溝２１の内部において、溝側面２１１と溝底面２１２とは概ね直角をなしていて、溝２１の断面は略矩形である。
なお、略矩形形状の溝２１の寸法（深さ、幅）は、アクセサリーの製作に使用するワイヤーの太さ、硬さ等を考慮して適切に決定することができる。例えば、深さを１〜２ミリメートル、溝底面２１２の幅を４ミリメートル程度とすれば、指輪の製作において作業がしやすく好適である。
【００３１】
溝底面２１２には、目盛プレート３が嵌め込まれている。目盛プレート３は、金属製、合成樹脂製または木製の板であって、溝２１の長手方向に沿って溝２１に配設される。
目盛プレート３には、複数の目盛が目盛プレート３の長手方向に並んで刻印されている。これらの目盛は、それぞれ、各目盛位置における本体２の径または外周を、指輪のサイズに即して示すものである。図１では一例として、目盛プレート３に５号から２５号までの目盛が付されている。なお、指輪のサイズとは、従来より慣例的に用いられているサイズ（１号（１３ミリメートル径）〜２１号（２１と１／３ミリメートル径））に従ったものであっても良いし、ＪＩＳ規格（ジュエリー用指輪のサイズ　Ｓ４７００：１９９８（ＩＳＯ８６５３−１９８６））に定められたサイズ（４１号〜７６号）に従ったものであっても良い。
【００３２】
続いて、治具１の使用例について説明する。図４および図５は、治具１を用いて指輪を製作する手順を示す図であり、図６は、製作される指輪の例を示す図である。なお、図４（ｃ）および図５（ａ）〜（ｄ）の各図は、治具１の溝２１を有する面を示す図であり、図４（ａ），（ｂ），（ｄ）は、溝２１を有する面の反対側の面を示す図である。
【００３３】
以下の説明では、ビーズをワイヤーに通して構成される指輪の例として、図６に示すワイヤーリング４を製作するものとする。
図６に示すワイヤーリング４は、ビーズ４１を１本のワイヤー４２に通し、ワイヤー４２を輪状に成形したものである。ワイヤーリング４は、ワイヤー４２を所望の指輪サイズに合わせて複数回巻いた土台部４３と、ワイヤー４２の端部を土台部４３の周囲に螺旋状に巻き回したコイル部４４とで構成される。土台部４３は指輪の土台となる部分であり、コイル部４４は、土台部４３の輪を束ねる機能とともに、ワイヤー４２の端部を、安全かつ美しく仕上げるためのものである。
【００３４】
まず、ビーズ４１をワイヤー４２に通し（図４（ａ））、ワイヤー４２を治具１に巻き付ける（図４（ｂ）、（ｃ））。ここで、ビーズ４１は溝２１を有する面の反対側に位置し、ワイヤー４２の両端が交差する部分は溝２１上に位置している。なお、ワイヤー４２を巻き付ける治具１上の位置は、目盛プレート３の目盛を目安として、製作したいワイヤーリング４のサイズよりも若干大きめのサイズに相当する位置とする。例えば、ワイヤーリング４を最終的に１４号のサイズに仕上げたい場合は、概ね１７号の目盛の位置で、治具１にワイヤー４２を巻き付ければ良い。
【００３５】
続いて、ワイヤー４２の両端を治具１の側面に沿って前側に回り込ませ、さらに治具１に巻き付ける（図４（ｄ））。そして、ワイヤー４２の両端を治具１の後ろ側に回り込ませ、溝２１と重なる位置において、互いに咬み合うように交差させる（図５（ａ））。この工程で、土台部４３となる複数の輪が形成される。
【００３６】
この土台部４３を作る工程を終えた後、ワイヤーリング４を上に少し移動させる。これは、次の工程でコイル部４４を作ることにより、土台部４３の内周が狭くなるためである。
【００３７】
次に、ワイヤー４２の一方の端を土台部４３の周囲に螺旋状に巻いていく。土台部４３の治具１に接する面を裏とし、露出する面を表として説明すると、まず、ワイヤー４２の一方の先端を、土台部４３の上から溝２１の内部を通るように土台部４３の下まで通す（図５（ｂ），図５（ｃ））。続いて、ワイヤー４２の一方の先端を持ち上げて、土台部４３の表側から上に移動させ、再び、溝２１の内部を通るように土台部４３の下まで通す。次いで、ワイヤー４２の端部を引っ張ってワイヤー４２を巻き締める。この作業を繰り返すことにより、ワイヤー４２が土台部４３の周囲に螺旋状に巻き付けられ、コイル部４４が形成される。ワイヤー４２の他方の先端も、上記と同様に螺旋状に土台部４３に巻き付けてコイル部４４とする。
【００３８】
上記のコイル部４４を作る工程で、ワイヤー４２の先端を溝２１に通しながら螺旋状に巻いていくと、ワイヤー４２が溝２１内を通る位置が次第に本体２の周方向にずれていくので、そのままではワイヤー４２の先端が溝側面２１１に当接してしまうことがある。この場合、土台部４３を本体２の周方向に少し回して、ワイヤー４２の先端を巻き付ける位置をずらせば、問題なく巻回作業を継続することができる。
【００３９】
そして、コイル部４４を作った後、ワイヤー４２の先端をコイル部４４の隙間に入れ込んで切り口を潰せば、ワイヤーリング４の製作が終了する。
【００４０】
以上の一連の作業は、リングゲージ棒５を便宜的に用いた場合とは全く異なり、その全てを、ワイヤーリング４を治具１に巻き付けたままの状態で行うことができる。すなわち、コイル部４４を作る工程（図５（ｂ））で、ワイヤー４２の先端を溝２１の中に通すことにより、簡単に、土台部４３の裏側を回り込ませることができる。このため、製作中のワイヤーリング４を治具１から外す必要が無い。
従って、作業中に、土台部４３を構成する複数の輪が綺麗に並んだ状態を保つことができるので、ワイヤーリング４を美しく仕上げることができる。また、コイル部４４を作る工程では、治具１が芯となるので、作業中の手元が安定し、ワイヤー４２を適度な張力で引っ張りながら螺旋状に巻き回すことができる。このため、ワイヤー４２を密に巻いてコイル部４４を作ることができ、均一な美しい形状にすることができる。
【００４１】
このように、治具１を用いてワイヤーリング４を製作すると、治具１が芯となって製作中のワイヤーリング４を保持するので、ワイヤーリング４の土台部４３やコイル部４４を美しい形状に加工できる。また、作業中に手元が非常に安定するので、作業性を格段に向上させることができる。
【００４２】
また、溝２１には溝側面２１１および溝底面２１２が形成され、その断面が矩形状になっているので、ワイヤー４２の端部をコイル部４４に成型する作業を、非常に容易に行うことができる。すなわち、コイル部４４を作る工程において、溝２１が略矩形形状を有することで、ワイヤー４２の先端が溝２１の内部で引っかかったり、ワイヤー４２の移動が過度に制限されることが無い。このため、作業中にワイヤー４２をスムーズに動かすことが可能となり、作業性をより一層向上させることができる。
【００４３】
さらに、溝２１が、本体２の上面２２から底面２３に達する直線状に形成されているので、テーパーがついた本体２のどの位置を使っても、効率よく作業することができる。従って、指輪を製作する際に、製作したい指輪のサイズに応じて、適切な径を有する部分にワイヤー４２を巻き付けて作業を行えば良い。
【００４４】
また、治具１の本体２は木製であるから、ビーズ４１やワイヤー４２が本体２に接触しても、本体２が緩衝部材として機能することにより、特にクリスタルガラス等の脆弱な材料が欠けたり傷が付いたりするおそれが無い。このため、作業中における材料の損傷を確実に防止することができる上、製作者が安心して力を加えて作業することができるので、より簡単に、美しい形状の指輪を製作することができる。
【００４５】
なお、上記実施の形態においては、治具１を用いてワイヤーリング４を製作する例について説明したが、本発明を適用した治具１は、ワイヤーリング４に限らず、ワイヤーを使用した各種のビーズアクセサリー全般の製作に用いることができる。特に、ワイヤーを輪状に成形する作業において、作業性を著しく向上させるとともに、完成度の高い作品を容易に制作できるという利点が得られる。
【００４６】
さらに、本発明は上記した実施の形態に限定されるものではなく、特許請求の範囲に記載した技術思想の範囲内において種々の変更が可能なのはいうまでもない。例えば、本体２における溝２１の数は１つに限らず、治具１を用いて製作するアクセサリーの形状やサイズに応じて複数設けても良い。また、溝２１は、上面２２から底面２３に達するものに限らず、本体２の側面の一部にのみ形成されたものであっても良い。
【００４７】
また、治具１の目盛プレート３に付された目盛は、目盛プレート３に刻印されたものに限らず、印刷等の手段により付されたものであっても良い。さらに、目盛プレート３を用いることなく、溝底面２１２に直接、印刷や刻印、焼き印等により目盛を付しても良いし、本体２の側面において、溝２１以外の場所に目盛を付すことも勿論可能である。
【００４８】
このほか、治具１の本体２に装飾を施すことも勿論可能であるし、例えば治具１を作業台に固定するために、穴や把持部を治具１に設けた構成とすることも勿論可能であり、その他の細部構成についても任意に変更可能であることは勿論である。
【００４９】
【発明の効果】
以上説明したように、本発明によれば、製作中のアクセサリーの形状を保持したままの状態で作業を進めることができるので、作業中にアクセサリーの形状が崩れることがない。また、作業中にアクセサリーを保持することで手元が安定し、作業性を著しく向上させることができる。これにより、完成度が高く美しい形状のアクセサリーを容易に製作することができる。また、木製の本体を有することで、作業中に、ビーズやワイヤー等の材料に傷が付くおそれがないので、安心して作業をすることができる。
【図面の簡単な説明】
【図１】本発明を適用した実施の形態における治具の構成を示す斜視図である。
【図２】図１に示す治具の要部を拡大して示す斜視図である。
【図３】図１に示す治具の断面図であり、（ａ）は治具の横断面図であり、（ｂ）は（ａ）の要部を拡大して示す図である。
【図４】図１に示す治具を用いてワイヤーリングを製作する手順を示す図である。
【図５】図１に示す治具を用いてワイヤーリングを製作する手順を示す図である。
【図６】ワイヤーリングの例を示す図である。
【図７】従来、ワイヤーリングを製作する際に用いられたリングゲージ棒を示す斜視図である。
【図８】従来のワイヤーリングの製作手順を示す図である。
【図９】従来のワイヤーリングの製作手順を示す図である。
【符号の説明】
１　　治具
２　　本体
２１　　溝
２１１　溝側面
２１２　溝底面
２２　上面
２３　底面
３　　目盛プレート
【図１】
2004089348.tif 000003
【図２】
2004089348.tif 000004
【図３】
2004089348.tif 000005
【図４】
2004089348.tif 000006
【図５】
2004089348.tif 000007
【図６】
2004089348.tif 000008
【図７】
2004089348.tif 000009
【図８】
2004089348.tif 000010
【図９】
2004089348.tif 000011